(57)【特許請求の範囲】
【請求項１】
内部基準周波数を発生する内部基準周波数発振器と、外部基準周波数が入力される基準周波数入力端子と、基準周波数出力端子と、前記外部基準周波数の入力及び非入力に応じて切替られるスイッチング回路を含み、前記基準周波数入力端子への前記外部基準周波数の非入力時に、前記スイッチング回路によって前記内部基準周波数発振器を動作状態に設定して前記内部基準周波数発振器からの前記内部基準周波数を前記基準周波数出力端子に供給し、前記基準周波数入力端子への前記外部基準周波数の入力時に、前記スイッチング回路によって前記内部基準周波数発振器を非動作状態に設定して前記外部基準周波数を前記基準周波数出力端子に供給する基準周波数出力切替回路とを備えることを特徴とする基準周波数信号切替回路。
【請求項２】
前記基準周波数出力切替回路は、前記スイッチング回路として内部基準周波数発振器の電源回路内に接続されている第１スイッチングトランジスタと、前記第１スイッチングトランジスタのオンオフを制御する第２スイッチングトランジスタとを備えており、前記外部基準周波数の非入力時に、前記第１スイッチングトランジスタをオン、前記第２スイッチングトランジスタをオフにし、前記外部基準周波数の入力時に、前記第１スイッチングトランジスタをオフ、前記第２スイッチングトランジスタをオンにすることを特徴とする請求項１に記載の基準周波数信号切替回路。
【請求項３】
前記基準周波数出力切替回路は、前記外部基準周波数を通過帯域とするバンドパスフィルタを有していることを特徴とする請求項１及び２のいずれかに記載の基準周波数信号切替回路。
【請求項４】
前記基準周波数出力切替回路は、前記スイッチング回路として前記基準周波数入力端子と前記基準周波数出力端子との間に接続された第１スイッチングダイオードと、前記内部基準周波数発振器と前記基準周波数出力端子との間に接続された第２スイッチングダイオードとを備えており、前記外部基準周波数の非入力時に、前記第１スイッチングダイオードをオフ、前記第２スイッチングダイオードをオンにし、前記外部基準周波数の入力時に、前記第１スイッチングダイオードをオン、前記第２スイッチングダイオードをオフにすることを特徴とする請求項１乃至３のいずれかに記載の基準周波数信号切替回路。
【発明の詳細な説明】
【０００１】
【発明の属する技術分野】
本発明は、基準周波数信号切替回路に係わり、特に、内部基準周波数発振器が発生する内部基準周波数と、外部基準周波数発振器から入力された外部基準周波数とを選択的に出力し、外部基準周波数の出力時に内部基準周波数発振器の動作を停止させるようにした基準周波数信号切替回路に関する。
【０００２】
【従来の技術】
従来、ケーブルテレビジョン（ＣＡＴＶ）送信機においては、そのヘッドエンドの基準周波数信号源に、基準周波数信号を供給する基準周波数信号切替回路が用いられる。
【０００３】
この基準周波数信号切替回路は、内部に基準周波数を発生する内部基準周波数発振器を有し、内部基準周波数発振器から出力される基準周波数、または、外部から供給される基準周波数を選択的に出力するように働くものである。
【０００４】
ここで、図２は、既知の基準周波数信号切替回路の構成の一例を示す概略構成図である。
【０００５】
図２に示されるように、既知の基準周波数信号切替回路は、内部基準周波数発振器２１と、基準周波数入力端子２２と、基準周波数出力端子２３と、検波回路２４と、１回路２接点を備えたリレー２５と、電源端子２６とからなっている。
【０００６】
そして、内部基準周波数発振器２１は、基準周波数、例えば、周波数１０ＭＨｚの内部基準周波数信号を発生するもので、電源端子２６と接地点間に接続され、出力端がリレー２５の一方の固定接点に接続される。基準周波数入力端子２２は、外部から基準周波数、例えば、周波数１０ＭＨｚの外部基準周波数信号が供給されるもので、検波回路２４の入力端とリレー２５の他方の固定接点とに接続される。基準周波数出力端子２３は、内部基準周波数信号または外部基準周波数信号が選択的に供給されるもので、リレー２５の可動接点に接続される。検波回路２４は、入力端に供給される外部基準周波数信号を検波し、出力端に直流駆動電圧を発生するもので、出力端がリレー２５の駆動コイルの一端に接続される。リレー２５は、駆動コイルの一端が接地接続される。
【０００７】
前記構成による基準周波数信号切替回路は、次のように動作する。
【０００８】
基準周波数入力端子２２に外部基準周波数信号が入力されない期間においては、検波回路２４の入力端に外部基準周波数信号が供給されず、検波回路２４の出力端から直流駆動電圧が発生されないので、リレー２５の駆動コイルが駆動されず、リレー２５の可動接点は、図２の実線に示すように、一方の固定接点側に切替えられている。このとき、内部基準周波数発振器２１が発生する内部基準周波数信号は、内部基準周波数発振器２１の出力端から切替えられているリレー２５の接点を通して基準周波数出力端子２３に供給され、基準周波数出力端子２３から周波数１０ＭＨｚの内部基準周波数信号が取り出される。
【０００９】
また、基準周波数入力端子２２に外部基準周波数信号が入力されている期間においては、検波回路２４の入力端に外部基準周波数信号が供給され、検波回路２４の出力端から直流駆動電圧が発生されるので、リレー２５の駆動コイルが駆動され、リレー２５の可動接点は、図２の点線に示すように、他方の固定接点側に切替えられる。このとき、基準周波数入力端子２２に供給された外部基準周波数信号は、切替えられているリレー２５の接点を通して基準周波数出力端子２３に供給され、基準周波数出力端子２３から周波数１０ＭＨｚの外部基準周波数信号が取り出される。
【００１０】
このように、既知の基準周波数信号切替回路によれば、基準周波数入力端子２２に外部基準周波数信号が入力されないときに、内部基準周波数発振器２１が発生する内部基準周波数信号が出力され、また、基準周波数入力端子２２に外部基準周波数信号が入力されるようになると、入力された外部基準周波数信号がそのまま出力され、自動的に基準周波数信号の出力の切替が行われるものである。
【００１１】
【発明が解決しようとする課題】
前記既知の基準周波数信号切替回路は、入力された外部基準周波数信号がそのまま出力される際に、内部基準周波数発振器２１が依然として内部基準周波数信号を出力するように動作しているもので、この内部基準周波数信号の一部が何等かの原因で出力中の外部基準周波数信号に混合することがある。この場合、外部基準周波数信号の周波数１０ＭＨｚと内部基準周波数信号の周波数１０ＭＨｚとが同じ周波数であるが、それらの周波数１０ＭＨｚ間に僅かながら周波数差を生じた場合には、２つの基準周波数信号間にビートが発生し、そのビート成分が基準周波数信号の品質を劣化させるだけでなく、内部基準周波数発振器２１を不要に動作し続けていることから、消費電力が増大してしまうという問題がある。
【００１２】
また、前記既知の基準周波数信号切替回路は、外部基準周波数信号が入力されたときだけ、リレー２５の接点が切替わり、入力された外部基準周波数信号が出力されるものであるが、基準周波数入力端子２２への外部基準周波数信号の供給及び停止は通常手動操作によって行われることから、基準周波数入力端子２２に誤って決められた外部基準周波数信号以外の他の信号が入力されたとしても、検波回路２４がこの他の信号に応答し、リレー２５の接点を切替えて、他の信号を基準周波数出力端子２３から出力してしまうという問題がある。
【００１３】
本発明は、これらの問題点を解決するもので、その第１の目的は、常時、品質良好な外部基準周波数信号または内部基準周波数信号を選択的に出力させ、消費電力の低減を図ることができる基準周波数信号切替回路を提供することにある。
【００１４】
また、本発明の第２の目的は、基準周波数入力端子に誤って他の信号が入力された際に、この他の信号に応答せず、他の信号が出力されることがない基準周波数信号切替回路を提供することにある。
【００１５】
【課題を解決するための手段】
前記第１の目的を達成するために、本発明の基準周波数信号切替回路は、内部基準周波数発振器、基準周波数入力端子、基準周波数出力端子、基準周波数出力切替回路を有し、基準周波数出力切替回路において、基準周波数入力端子への外部基準周波数の非入力時に、内部基準周波数発振器を動作状態に設定し、内部基準周波数発振器からの内部基準周波数を基準周波数出力端子に供給し、基準周波数入力端子への外部基準周波数の入力時に、内部基準周波数発振器を非動作状態に設定し、外部基準周波数を基準周波数出力端子に供給するようにした第１の手段を具備する。
【００１６】
前記第１の手段によれば、基準周波数入力端子に外部基準周波数信号が入力されないとき、内部基準周波数発振器が発振動作を行うように設定し、内部基準周波数発振器から出力された内部基準周波数信号を基準周波数出力端子に供給するとともに、基準周波数入力端子に外部基準周波数信号が入力されたとき、内部基準周波数発振器が発振動作を行わないように設定し、入力された外部基準周波数信号をそのまま基準周波数出力端子に供給するようにしているので、内部基準周波数信号と外部基準周波数信号との間にビートが発生せずに、良好な品質の基準周波数信号を得ることができ、しかも、内部基準周波数発振器を選択的に発振動作状態及び発振停止状態に切替えるので、内部基準周波数発振器の消費電力の低減が可能になる。
【００１７】
また、第２の目的を達成するために、本発明の基準周波数信号切替回路は、基準周波数出力切替回路内に、外部基準周波数を通過帯域とするバンドパスフィルタを接続した第２の手段を具備する。
【００１８】
前記第２の手段によれば、基準周波数出力切替回路内に接続した外部基準周波数を通過帯域とするバンドパスフィルタにより、基準周波数入力端子に入力された信号が所定の外部基準周波数信号であるか否かを選別しているので、他の信号の入力時に、この他の信号が誤って出力されることがなくなる。
【００１９】
【発明の実施の形態】
本発明の実施の形態において、基準周波数信号切替回路は、内部基準周波数を発生する内部基準周波数発振器と、外部基準周波数が入力される基準周波数入力端子と、基準周波数出力端子と、外部基準周波数の入力及び非入力に応じて切替られるスイッチング回路を含み、基準周波数入力端子への外部基準周波数の非入力時に、スイッチング回路によって内部基準周波数発振器を動作状態に設定して内部基準周波数発振器からの内部基準周波数を基準周波数出力端子に供給し、基準周波数入力端子への外部基準周波数の入力時に、スイッチング回路によって内部基準周波数発振器を非動作状態に設定して外部基準周波数を基準周波数出力端子に供給する基準周波数出力切替回路とを備えるものである。
【００２０】
本発明の実施の形態の一具体例において、基準周波数信号切替回路は、基準周波数出力切替回路が、スイッチング回路として内部基準周波数発振器の電源回路内に接続されている第１スイッチングトランジスタと、第１スイッチングトランジスタのオンオフを制御する第２スイッチングトランジスタとを備えており、外部基準周波数の非入力時に、第１スイッチングトランジスタをオン、第２スイッチングトランジスタをオフにし、外部基準周波数の入力時に、第１スイッチングトランジスタをオフ、第２スイッチングトランジスタをオンにするものである。
【００２１】
本発明の実施の形態の好適例において、基準周波数信号切替回路は、基準周波数出力切替回路が外部基準周波数を通過帯域とするバンドパスフィルタを有しているものである。
【００２２】
本発明の実施の形態の他の具体例において、基準周波数信号切替回路は、基準周波数出力切替回路が、スイッチング回路として基準周波数入力端子と基準周波数出力端子との間に接続された第１スイッチングダイオードと、内部基準周波数発振器と基準周波数出力端子との間に接続された第２スイッチングダイオードとを備えており、外部基準周波数の非入力時に、第１スイッチングダイオードをオフ、第２スイッチングダイオードをオンにし、外部基準周波数の入力時に、第１スイッチングダイオードをオン、第２スイッチングダイオードをオフにするものである。
【００２３】
これらの本発明の実施の形態によれば、基準周波数出力切替回路において、基準周波数入力端子に外部基準周波数信号が入力されない期間に、内部基準周波数発振器が内部基準周波数信号を発生するように設定し、内部基準周波数発振器から出力された内部基準周波数信号を基準周波数出力端子に供給するようにし、一方、基準周波数入力端子に外部基準周波数信号が入力された期間に、内部基準周波数発振器が内部基準周波数信号を発生しないように設定し、入力された外部基準周波数信号をそのまま基準周波数出力端子に供給するようにしている、すなわち、外部基準周波数信号が出力されている期間、内部基準周波数信号が発生されないように設定しているので、外部基準周波数信号に内部基準周波数信号が混合し、双方の信号の間にビートが発生することがなく、常時、良好な品質の基準周波数信号を出力させることができる。この場合、基準周波数出力切替回路において、内部基準周波数発振器の発振動作を、選択的に発振動作状態及び発振停止状態に切替えているので、内部基準周波数発振器を連続動作させている場合に比べて消費電力を低減することが可能になる。
【００２４】
また、これらの本発明の実施の形態において、基準周波数出力切替回路内に外部基準周波数を通過帯域とするバンドパスフィルタを接続した場合に、このバンドパスフィルタが基準周波数入力端子に入力された信号が所定の外部基準周波数信号であるか否かを選別するので、他の信号が誤って入力された際に、この他の信号が選択的に出力されることがなくなり、この基準周波数信号が供給される利用回路の誤動作をなくすことができる。
【００２５】
【実施例】
以下、本発明の実施例を図面を参照して詳細に説明する。
【００２６】
図１は、本発明による基準周波数信号切替回路の一実施例の構成を示す回路図である。
【００２７】
図１に示されるように、本実施例の基準周波数信号切替回路は、内部基準周波数信号発振器１と、基準周波数信号入力端子２と、基準周波数信号出力端子３と、基準周波数出力切替回路４と、発振出力回路５と、信号入力回路６と、高電圧電源端子７と、低電圧電源端子８とからなっている。
【００２８】
ここで、基準周波数出力切替回路４は、入力トランジスタ４１  と、バンドパスフィルタ４２  と、検波回路４３  と、平滑回路４４  と、スイッチングトランジスタ（第２スイッチングトランジスタ）４５  と、スイッチングトランジスタ（第１スイッチングトランジスタ）４６  と、第１ダイオード回路（第１スイッチングダイオード）４７  と、第２ダイオード回路（第２スイッチングダイオード）４８  と、インダクタ４９  と、コレクタ抵抗４１０と、バイアス抵抗４１１、４１２と、結合コンデンサ４１３、４１４、４１５、４１６とを有している。発振出力回路５は、トランジスタ５１  と、エミッタ負荷抵抗５２  と、結合コンデンサ５３  とを有している。信号入力回路６は、結合コンデンサ６１  、６２  と、分路抵抗６３  とを有している。
【００２９】
この場合、内部基準周波数信号発振器１は、出力端が発振出力回路５の入力端に接続され、電源端が低電圧電源端子８に接続され、接地端が後述するスイッチングトランジスタ４６  のコレクタに接続される。基準周波数信号入力端子２は信号入力回路６の入力端に接続され、基準周波数信号出力端子３は基準周波数出力切替回路４の出力端に接続される。
【００３０】
また、基準周波数出力切替回路４において、入力トランジスタ４１  は、エミッタが抵抗を介して接地され、ベースが結合コンデンサ４１３を介して基準周波数出力切替回路４の第１入力端に接続されるとともに、２個のベースバイアス抵抗に接続され、エミッタ接地形式で動作する。バンドパスフィルタ４２  は、インダクタとコンデンサの並列共振回路からなり、外部基準周波数を通過帯域とするもので、入力トランジスタ４１  のコレクタと高電圧電源端子７に結合された高電圧電源ラインとの間に接続される。検波回路４３  は、直列ダイオードと分路ダイオードとからなり、入力端が結合コンデンサ４１４を介して入力トランジスタ４１  のコレクタに接続され、出力端が平滑回路４４  の入力端に接続される。平滑回路４４  は、分路接続されたコンデンサと抵抗からなり、出力端がスイッチングトランジスタ４５  のベースに接続される。スイッチングトランジスタ４５  は、コレクタがコレクタ抵抗４１０を介して高電圧電源ラインに接続され、エミッタが直接接地され、エミッタ接地形式で動作する。スイッチングトランジスタ４６  は、コレクタが内部基準周波数信号発振器１の接地端及び発振出力回路５のエミッタ負荷抵抗５２  の他端に接続され、ベースが抵抗を介してスイッチングトランジスタ４５  のコレクタに接続され、エミッタが直接接地され、エミッタ接地形式で動作する。第１ダイオード回路４７  は、直列接続の２個のダイオードからなり、一端が基準周波数出力切替回路４の第１入力端に接続され、他端が結合コンデンサ４１６を介して基準周波数出力切替回路４の出力端に接続される。第２ダイオード回路４８  は、直列接続の２個のダイオードからなり、一端が結合コンデンサ４１５を介して基準周波数出力切替回路４の第２入力端に接続され、他端が結合コンデンサ４１６を介して基準周波数出力切替回路４の出力端に接続される。インダクタ４９  は、一端が２つのダイオード回路４７  、４８  の他端に接続され、他端がスイッチングトランジスタ４５  のコレクタに接続される。バイアス抵抗４１１は、一端が低電圧電源端子８に接続され、他端が基準周波数出力切替回路４の第１入力端に接続される。バイアス抵抗４１２は、第２ダイオード回路４８  の一端に接続され、他端が接地接続される。
【００３１】
さらに、発振出力回路５において、トランジスタ５１  は、コレクタが抵抗を介して低電圧電源端子８に接続され、ベースが抵抗及び結合コンデンサ５３  を介して発振出力回路５の入力端に接続され、エミッタがエミッタ負荷抵抗５２  の一端と発振出力回路５の出力端に接続される。信号入力回路６において、結合コンデンサ６１  、６２  は、信号入力回路６の入力端と出力端との間に直列接続され、分路抵抗６３  は、一端が結合コンデンサ６１  、６２  の接続点に接続され、他端が接地接続される。
【００３２】
ここで、本実施例の基準周波数信号切替回路の動作を説明すると、次の通りである。
【００３３】
基準周波数信号入力端子２に外部基準周波数信号が入力されないとき、基準周波数出力切替回路４においては、入力端に外部基準周波数信号が供給されないので、検波回路４３  から正の検波電圧が出力されず、スイッチングトランジスタ４５  がオフになる。スイッチングトランジスタ４５  がオフになると、高電圧電源端子７に供給された正の高電圧（５Ｖ）がコレクタ抵抗４１０を通してスイッチングトランジスタ４６  のベースに供給され、同時に、コレクタ抵抗４１０及びインダクタ４９  を通して第１ダイオード回路４７の他端と第２ダイオード回路４８  の他端にそれぞれ供給される。このとき、スイッチングトランジスタ４６  はオンになって内部基準周波数信号発振器１の接地端がスイッチングトランジスタ４６  を通して接地接続されるので、内部基準周波数信号発振器１に正規の電源電圧（３Ｖ）が供給され、内部基準周波数信号発振器１が内部基準周波数信号を発振する。また、第１ダイオード回路４７  は、一端に低電圧電源端子８に供給された正の低電圧（３Ｖ）が供給されるので、２個のダイオードが逆バイアス状態になって、第１ダイオード回路４７ がオフになり、基準周波数信号入力端子２と基準周波数信号出力端子３との間が隔離される。一方、第２ダイオード回路４８  は、一端がバイアス抵抗４１２を通して接地接続されているので、２個のダイオードが順バイアス状態になって、第２ダイオード回路４８  がオンになる。そして、内部基準周波数信号発振器１から出力された内部基準周波数信号は、発振出力回路５のトランジスタ５１  で増幅された後、オン状態にある第２ダイオード回路４８  及び結合コンデンサ４１６を介して基準周波数信号出力端子３に供給され、内部基準周波数信号が基準周波数信号出力端子３から利用回路に出力される。
【００３４】
次に、基準周波数信号入力端子２に外部基準周波数信号が入力されると、基準周波数出力切替回路４においては、入力端に供給された外部基準周波数信号がバンドパスフィルタ４２  で抽出され、抽出された外部基準周波数信号が検波回路４３  で検波され、検波回路４３  から正の検波電圧が出力される。この正の検波電圧は、平滑回路４４  で不要な変動成分が除去された後、スイッチングトランジスタ４５  のベースに供給され、スイッチングトランジスタ４５  がオンになる。スイッチングトランジスタ４５  がオンになると、スイッチングトランジスタ４５  のコレクタが略接地電圧になり、この略接地電圧がスイッチングトランジスタ４６  のベースに供給され、同時に、コレクタ抵抗４１０及びインダクタ４９  を通して第１ダイオード回路４７ の他端と第２ダイオード回路４８  の他端にそれぞれ供給される。このとき、スイッチングトランジスタ４６  は、略接地電圧の供給によってオフになり、内部基準周波数信号発振器１の接地端がスイッチングトランジスタ４６  のオフによって開放されるので、内部基準周波数信号発振器１に正規の電源電圧（３Ｖ）が供給されなくなり、内部基準周波数信号発振器１が内部基準周波数信号の発振を停止する。また、第１ダイオード回路４７は、一端に低電圧電源端子８に供給された正の低電圧（３Ｖ）が供給され、他端に略接地電圧が供給されることから、２個のダイオードが順バイアス状態になって、第１ダイオード回路４７ がオンになり、基準周波数信号入力端子２と基準周波数信号出力端子３との間が接続される。一方、第２ダイオード回路４８  は、一端がバイアス抵抗４１２を通して接地接続され、他端が略接地電圧になることから、２個のダイオードがゼロバイアス状態になり、第２ダイオード回路４８  がオフになる。そして、基準周波数信号入力端子２に入力された外部基準周波数信号は、信号入力回路６、オン状態にある第１ダイオード回路４７  及び結合コンデンサ４１６を介して基準周波数信号出力端子３に供給され、外部基準周波数信号が基準周波数信号出力端子３から利用回路に出力される。
【００３５】
このように、本実施例の基準周波数信号切替回路によれば、基準周波数入力端子２に外部基準周波数信号が入力されないとき、内部基準周波数発振器１を能動状態に設定して内部基準周波数信号を発生させ、内部基準周波数発振器から出力された内部基準周波数信号を基準周波数出力端子３に供給するようにし、また、基準周波数入力端子２に外部基準周波数信号が入力されたとき、内部基準周波数発振器１を非能動状態に設定して内部基準周波数信号を発生させないようにし、入力された外部基準周波数信号をそのまま基準周波数出力端子３に供給するようにしている、すなわち、外部基準周波数信号が出力されている間、内部基準周波数信号が発生されないようにしているので、外部基準周波数信号に内部基準周波数信号が混合され、双方の信号の間にビートが発生することがなく、常時、良好な品質の基準周波数信号を出力させることができるとともに、内部基準周波数発振器１の発振動作を、選択的に発振動作状態及び発振停止状態に切替えるので、内部基準周波数発振器１を連続動作させる場合に比べて消費電力の低減が可能になる。
【００３６】
また、本実施例の基準周波数信号切替回路によれば、基準周波数出力切替回路４内に外部基準周波数信号を選択抽出するバンドパスフィルタ４２  を設けているので、基準周波数信号入力端子２に正規の外部基準周波数信号が入力されたときだけ、基準周波数入力端子２に入力された外部基準周波数信号が基準周波数出力端子３に供給されるので、誤って外部基準周波数信号以外の信号が基準周波数入力端子２に入力されても、その信号が基準周波数出力端子３から出力されることがない。
【００３７】
なお、前記実施例においては、基準周波数出力切替回路４として図１に図示されるような回路構成を有するものを用いた例を挙げて説明したが、本発明による基準周波数出力切替回路の回路構成はこのようなものに限られず、同じ機能を達成−できるものであれば、他の回路構成を有するものを用いてもよいことは勿論である。
【００３８】
【発明の効果】
以上のように、本発明によれば、基準周波数出力切替回路において、基準周波数入力端子に外部基準周波数信号が入力されないとき、内部基準周波数発振器が内部基準周波数信号を発生するように設定し、内部基準周波数発振器から出力された内部基準周波数信号を基準周波数出力端子に供給するようにし、一方、基準周波数入力端子に外部基準周波数信号が入力されたとき、内部基準周波数発振器が内部基準周波数信号を発生しないように設定し、入力された外部基準周波数信号をそのまま基準周波数出力端子に供給するようにしている、すなわち、外部基準周波数信号が出力されているときに内部基準周波数信号が発生されることがないので、外部基準周波数信号に内部基準周波数信号が混合し、双方の信号の間にビートが発生することがなく、常時、良好な品質の基準周波数信号を出力させることができるという効果があり、さらに、基準周波数出力切替回路において、内部基準周波数発振器の発振動作を、選択的に発振動作状態及び発振停止状態に切替えているので、内部基準周波数発振器を連続動作させている場合に比べ、消費電力を低減することができるという効果がある。
【００３９】
また、本発明によれば、基準周波数出力切替回路内に、外部基準周波数を通過帯域とするバンドパスフィルタを接続し、このバンドパスフィルタにおいて基準周波数入力端子に入力された信号が所定の外部基準周波数信号であるか否かを選別するようにしているので、他の信号が誤って入力された際に、この他の信号が選択的に出力されることがなくなり、この基準周波数信号が供給される利用回路の誤動作をなくすことができるという効果がある。
【図面の簡単な説明】
【図１】本発明による基準周波数信号切替回路の一実施例の構成を示す回路図である。
【図２】既知の基準周波数信号切替回路の構成の一例を示す概略構成図である。
【符号の説明】
１  内部基準周波数信号発振器
２  基準周波数信号入力端子
３  基準周波数信号出力端子
４  基準周波数出力切替回路
４１    入力トランジスタ
４２    バンドパスフィルタ
４３    検波回路
４４    平滑回路
４５    スイッチングトランジスタ（第２スイッチングトランジスタ）
４６    スイッチングトランジスタ（第１スイッチングトランジスタ）
４７    第１ダイオード回路（第１スイッチングダイオード）
４８    第２ダイオード回路（第２スイッチングダイオード）
４９    インダクタ
４１０  コレクタ抵抗
４１１、４１２  バイアス抵抗
４１３、４１４、４１５、４１６  結合コンデンサ
５  発振出力回路
５１    トランジスタ
５２    エミッタ負荷抵抗
５３    結合コンデンサ
６  信号入力回
６１  、６２    結合コンデンサ
６３    分路抵抗
７  高電圧電源端子
８  低電圧電源端子
【図１】
0003630574.tif 000002
【図２】
0003630574.tif 000003